(57)【要約】【課題】  肘の位置を粗調整でき、更に喘息発作時の苦しいときに微妙な肘の最適位置を迅速かつ容易に微調整できる肘掛椅子及び肘掛器具を提供する。【解決手段】  座面部２と、座面部２の背面側に設けられる背もたれ部５と、肘をのせる肘掛３３とを有し、垂直移動部３１で肘掛３３を垂直方向に移動させ、水平移動部３２で肘掛３３を水平方向に移動させ、肘掛３３を任意の位置に調整（粗調整）して設定でき、更に、肘掛３３の傾斜面に沿って肘を外側から内側にスライドさせて、つまり肘を内側に閉めるようにし、利用者にとって最適な位置に迅速かつ容易に微調整できる肘掛椅子である。【選択図】        図６
2015051262.tif 000002
【特許請求の範囲】
【請求項１】
座面部と、前記座面部の背面側に設けられる背もたれ部と、肘をのせる肘掛を有する椅子であって、
前記肘掛を垂直方向に移動させる垂直移動部と、
前記肘掛を水平方向に移動させる水平移動部と備え、
前記肘掛は、前記座面部の側面側に設けられ、前記座面部の中央方向を内側とすると、前記内側に向けて下がるよう傾斜する傾斜面を有することを特徴とする椅子。
【請求項２】
肘掛における傾斜面の傾斜角度が、２０度以上４５度以下であることを特徴とする請求項１記載の椅子。
【請求項３】
肘掛における傾斜面の傾斜角度が、２５度以上３５度以下であることを特徴とする請求項１記載の椅子。
【請求項４】
肘掛における傾斜面は、平面又は曲面であることを特徴とする請求項１乃至３のいずれか記載の椅子。
【請求項５】
垂直移動部は、座面部又は背もたれ部に接続され、肘掛を垂直方向に移動させ、前記垂直方向の特定位置で前記肘掛を固定させることを特徴とする請求項１乃至４のいずれか記載の椅子。
【請求項６】
水平移動部は、垂直移動部に接続されると共に肘掛に接続され、肘掛を水平方向に移動させ、前記水平方向の特定位置で前記肘掛を固定させることを特徴とする請求項１乃至５のいずれか記載の椅子。
【請求項７】
肘をのせる肘掛を有する肘掛器具であって、
前記肘掛を垂直方向に移動させる垂直移動部と、
前記肘掛を水平方向に移動させる水平移動部と備え、
前記肘掛において肘が接触する面を利用者側に下がるよう傾斜させたことを特徴とする肘掛器具。
【請求項８】
肘掛における肘の接触する面の傾斜角度が、２５度以上３５度以下であることを特徴とする請求項７記載の肘掛器具。
【発明の詳細な説明】
【技術分野】
【０００１】
本発明は、喘息発作時に楽な姿勢を容易に実現できる肘掛椅子及び肘掛器具に係り、特に、肘の位置を粗調整して、発作時に肘の最適位置を微調整できる肘掛椅子及び肘掛器具に関する。
【背景技術】
【０００２】
［従来の技術］
従来、むち打ち症や喘息等の患者の頚椎固定を目的とした器具として、特開昭６０−７７７５５号公報「固定力の調整自在な頚椎装具」（株式会社にれ薬品）［特許文献１］に開示の頚椎固定具がある。この頚椎固定具は、患者の背後から頚椎装置を首にかけて、胸板を係止する。そして、頬部受けと後頭受けにより、患者の頚椎の前屈、後屈、側屈、回旋の全ての運動を制限するものである。
【０００３】
また、特開２００７−２３６４２８号公報「着座用器具及びカバー」（株式会社加地）［特許文献２］には、着座者の後頭部下部を支持して、頭部の前方への傾きを抑えて気道を詰まり難くする旨の開示がある。
また、特開２００５−１１２０５４号公報「首位置保持具」（アップリカ葛西株式会社）［特許文献３］には、顎宛てパッドによって首の位置を確保する器具が開示されている。
【先行技術文献】
【特許文献】
【０００４】
【特許文献１】特開昭６０−７７７５５号公報
【特許文献２】特開２００７−２３６４２８号公報
【特許文献３】特開２００５−１１２０５４号公報
【発明の概要】
【発明が解決しようとする課題】
【０００５】
しかしながら、上記従来の技術では、喘息発作時に肘の最適な微妙な位置を調整して、楽な姿勢を迅速かつ容易に実現できるものとはなっていないという問題点があった。
【０００６】
尚、喘息患者の発作時に呼吸が困難になると、患者は座った状態で、片方の掌を床に突いて肘を伸ばして片側の肩を持ち上げることにより、呼吸が楽になることがある。
また、他の患者は、両手の指先を内側（体側）にして、お尻と床の間に手の甲を差し込んで、両肘を伸ばして肩を持ち上げることにより、呼吸が楽になることがある。
これらの呼吸が困難な場合の姿勢は、肩の動きから鎖骨を働かせ、そして、胸鎖関節を働かせることにより、呼吸を増大させて楽な呼吸を確保していると推定される。
【０００７】
ただし、片方の掌を床に突いて肘を伸ばした姿勢を維持することや、両手の指先を内側（体側）にして、お尻と床の間に手の甲を差し込んで、両肘を伸ばして肩を持ち上げる姿勢を長く維持することは困難である。
そこで、上記姿勢と同様な楽な姿勢を容易に実現し、長く維持できるようにすることが検討されている。
【０００８】
本発明は上記実情に鑑みて為されたもので、肘の位置を粗調整でき、更に喘息発作時の苦しいときに微妙な肘の最適位置を迅速かつ容易に微調整できる肘掛椅子及び肘掛器具を提供することを目的とする。
【課題を解決するための手段】
【０００９】
上記従来例の問題点を解決するための本発明は、座面部と、座面部の背面側に設けられる背もたれ部と、肘をのせる肘掛を有する椅子であって、肘掛を垂直方向に移動させる垂直移動部と、肘掛を水平方向に移動させる水平移動部と備え、肘掛は、座面部の側面側に設けられ、座面部の中央方向を内側とすると、内側に向けて下がるよう傾斜する傾斜面を有することを特徴とする。
【００１０】
本発明は、上記椅子において、肘掛における傾斜面の傾斜角度が、２０度以上４５度以下であることを特徴とする。
【００１１】
本発明は、上記椅子において、肘掛における傾斜面の傾斜角度が、２５度以上３５度以下であることを特徴とする。
【００１２】
本発明は、上記椅子において、肘掛における傾斜面は、平面又は曲面であることを特徴とする。
【００１３】
本発明は、上記椅子において、垂直移動部は、座面部又は背もたれ部に接続され、肘掛を垂直方向に移動させ、垂直方向の特定位置で肘掛を固定させることを特徴とする。
【００１４】
本発明は、上記椅子において、水平移動部は、垂直移動部に接続されると共に肘掛に接続され、肘掛を水平方向に移動させ、水平方向の特定位置で肘掛を固定させることを特徴とする。
【００１５】
本発明は、肘をのせる肘掛を有する肘掛器具であって、肘掛を垂直方向に移動させる垂直移動部と、肘掛を水平方向に移動させる水平移動部と備え、肘掛において肘が接触する面を利用者側に下がるよう傾斜させたことを特徴とする。
【００１６】
本発明は、上記肘掛器具において、肘掛における肘の接触する面の傾斜角度が、２５度以上３５度以下であることを特徴とする。
【発明の効果】
【００１７】
本発明によれば、肘掛を垂直方向に移動させる垂直移動部と、肘掛を水平方向に移動させる水平移動部と備え、肘掛は、座面部の側面側に設けられ、座面部の中央方向を内側とすると、内側に向けて下がるよう傾斜する傾斜面を有する肘掛椅子としているので、垂直移動部で垂直方向、水平移動部で水平方向に肘掛を粗調整でき、更に息が苦しくなった時に肘掛の傾斜面を利用して肘の微妙な最適位置を迅速かつ容易に微調整できる効果がある。
【００１８】
本発明によれば、肘掛を垂直方向に移動させる垂直移動部と、肘掛を水平方向に移動させる水平移動部と備え、肘掛において肘が接触する面を利用者側に下がるよう傾斜させた肘掛器具としているので、垂直移動部で垂直方向、水平移動部で水平方向に肘掛を粗調整でき、更に息が苦しくなった時に肘掛の傾斜面を利用して肘の微妙な最適位置を迅速かつ容易に微調整できる効果がある。
【図面の簡単な説明】
【００１９】
【図１】喘息患者用肘掛椅子の全体図である。
【図２】喘息患者用肘掛椅子の使用態様を説明する図である。
【図３】他の形状の肘掛を付設した椅子の図である。
【図４】肘のみを拘束する肘掛を付設した椅子の図である。
【図５】左手の肘のみを拘束する肘掛の図である。
【図６】第１の肘掛椅子の正面概略図である。
【図７】第１の肘掛椅子の側面概略図である。
【図８】第２の肘掛椅子の正面概略図である。
【図９】第２の肘掛椅子の側面概略図である。
【図１０】具体的な肘掛椅子の正面図である。
【図１１】具体的な肘掛椅子の側面図である。
【図１２】肘掛の正面図である
【図１３】具体的な肘掛椅子の斜視図である。
【図１４】ベッド用の肘掛器具の概略図である。
【発明を実施するための形態】
【００２０】
本発明の実施の形態について図面を参照しながら説明する。
［実施の形態の概要］
［実施の形態における肘掛椅子の概要］
本発明の実施の形態に係る肘掛椅子は、座面部と、座面部の背面側に設けられる背もたれ部と、肘をのせる肘掛と、肘掛を垂直方向に移動させる垂直移動部と、肘掛を水平方向に移動させる水平移動部と備え、肘掛は、座面部の側面側に設けられ、座面部の中央方向を内側とすると、その内側に向けて下がるよう傾斜する傾斜面を有するものであり、垂直移動部で垂直方向、水平移動部で水平方向に肘掛を粗調整でき、更に息が苦しくなった時に肘掛の傾斜面を利用して肘の微妙な最適位置を微調整できるものである。
【００２１】
［実施の形態における肘掛器具の概要］
本発明の実施の形態に係る肘掛器具は、肘をのせる肘掛と、肘掛を垂直方向に移動させる垂直移動部と、肘掛を水平方向に移動させる水平移動部と備え、肘掛において肘が接触する面を利用者側に下がるよう傾斜させたものであり、垂直移動部で垂直方向、水平移動部で水平方向に肘掛を粗調整でき、更に息が苦しくなった時に肘掛の傾斜面を利用して肘の微妙な最適位置を微調整できるものである。
【００２２】
［第１の肘掛椅子：図６，７］
［第１の肘掛椅子の構成］
本発明の実施の形態に係る第１の肘掛椅子（第１の肘掛椅子）について図６、図７を参照しながら説明する。図６は、第１の肘掛椅子の正面概略図であり、図７は、第１の肘掛椅子の側面概略図である。
第１の肘掛椅子は、図６，７に示すように、座面部２と、背もたれ部５と、肘掛３３とを有し、背もたれ部５は、背柱３により座面部２に接続されている。
尚、請求項では、背もたれ部５と背柱３を併せて「背もたれ部」と称している。
【００２３】
更に、第１の肘掛椅子は、肘掛３３を垂直方向に移動させる垂直移動部３１と、肘掛３３を水平方向に移動させる水平移動部３２とを備え、垂直移動部３１は、座面部２に接続されている。
また、肘掛３３は、座面部２の側面側に設けられ、座面部２の中央方向を内側とすると、内側に向けて下がる傾斜を備えている。
【００２４】
つまり、肘掛３３の内側の端部は、外側の端部に比べて幅が短くなっている。即ち、肘掛３３における内側の端部の幅より外側の端部の幅が長くなっており、外側から内側に下がる傾斜面を備えている。
図６では、肘掛３３の傾斜面は、平面に描かれているが、平面でなく曲面であってもよい。
尚、肘掛３３は、表面が滑りやすいと肘の位置を固定できないし、素材が柔らかすぎるのも肩を持ち上げる効果が薄れて適切ではないため、素材として硬質ゴム等の比較的硬い素材を用いるのが望ましい。肘掛３３の傾斜面については、プラスチック等の素材を滑りにくいシート状の素材でカバーしたものであってもよい。
【００２５】
ここで、肘掛３３の傾斜面が持つ働きについて説明する。
肘に重みが掛かる中で、肘が傾斜面をすべることで、肘が一定の範囲内に納まることになる。傾斜が肘に方向性を持たせることになるが、傾斜が急だと、肩の筋肉や筋をこわばったまま、固定させてしまう。
肘の位置は、常にある範囲内で、揺らいで動いていることが肩のこわばりを逃がす上で大事な要素となる。人間の腕が胴体部から外側に１５度くらい下向きについているので、少なくとも肘掛３３の傾斜が２０度以上、好ましくは２５度以上ないと、肘が外側にはみ出る力を食い止めることができない。
【００２６】
また、傾斜が上限４０度くらいになると、傾斜がきついため、肩を拘束してしまい、肩に掛かるこわばりの力を逃がすための肘の運動が制限される。よって、最適な傾斜の角度は、３０度近辺であり、幅を持っても、２０度近辺から４５度近辺、好ましくは２５度近辺から３５度近辺の角度となる。
以上の範囲で肘掛３３に傾斜面を持たせることで、負担が掛かる肩周辺の筋肉のこわばりを逃がす自由な揺らぎ運動をさせることを実現している。
【００２７】
［第１の肘掛椅子の使用方法］
第１の肘掛椅子の使用方法は、呼吸が苦しくなる前に予め利用者が垂直移動部３１と水平移動部３２を用いて垂直方向と水平方向で調整して利用者の呼吸が楽になる肘の位置を大まかに設定する（粗調整）。
利用者は、呼吸が苦しくなった場合に、肘掛３３の傾斜面に沿って肘をスライドさせ、更に最適な肘の位置を微調整する。この傾斜面を利用した微調整における微妙な肘の位置の設定が、呼吸が楽になるポイントを迅速かつ容易に発見できることになる。
【００２８】
［第１の肘掛椅子の効果］
第１の肘掛椅子によれば、垂直移動部３１で肘掛３３を垂直方向に移動させ、水平移動部３２で肘掛３３を水平方向に移動させ、肘掛３３を任意の位置に調整（粗調整）して設定でき、更に、肘掛３３の傾斜面に沿って肘を外側から内側にスライドさせて、つまり肘を内側に閉めるようにし、利用者にとって最適な位置に迅速かつ容易に微調整できる効果がある。
【００２９】
肘掛３３が傾斜面でなく平面であると、肘の最適な位置へ微調整する動作がなかなか決まらないが、肘掛３３が傾斜面を備えることで、その傾斜面を重力に任せて肘をスライドさせることで、呼吸が苦しくなった場合に、最適位置への微調整が迅速に容易になるものである。
【００３０】
［第２の肘掛椅子：図８，９］
［第２の肘掛椅子の構成］
次に、本発明の実施の形態に係る第２の肘掛椅子（第２の肘掛椅子）について図８、図９を参照しながら説明する。図８は、第２の肘掛椅子の正面概略図であり、図９は、第２の肘掛椅子の側面概略図である。
図８，９に示すように、第２の肘掛椅子が第１の肘掛椅子と相違する点は、垂直移動部が、背柱３に接続する第１の接続部３１ａと、水平移動部３２に接続する第２の接続部３１ｂとから構成されている。
【００３１】
具体的には、背柱３に接続する部分を中心として、第１の接続部３１ａは回転可能であり、第１の接続部３１ａにおいて、第２の接続部３１ｂに接続する端部側を押し上げる、又は押し下げることにより、第２の接続部３１ｂ、水平移動部３２、肘掛３３を垂直方向（上方向又は下方向）に移動させるようになっている。
第１の接続部３１ａにおいて、第２の接続部３１ｂに接続する部分を中心として第２の接続部３１ｂが回転可能であり、第１の接続部３１ａの端部を押し上げ、又は押し下げた場合に、第２の接続部３１ｂが垂直方向（上方向又は下方向）に向くように調整する。
【００３２】
［第２の肘掛椅子の使用方法］
第２の肘掛椅子の使用方法も、第１の肘掛椅子と同様であり、肘掛３３の垂直方向の移動が第１の接続部３１ａと第２の接続部３１ｂによって為されるものである。
また、第２の肘掛椅子の効果も、第１の肘掛椅子と同様の効果を奏するものである。
【００３３】
［第１，２に肘掛椅子の応用］
尚、第１，２の肘掛椅子には、図６〜９において、座面部２の下方に足部を描いていないが、足部を設けるようにしてもよい。足部を備える肘掛椅子であれば、洋室、事務所での利用も可能となる。
また、肘掛３３の形状を三角柱の形状としたが、後述する図１４のように、Ｖ字形状であってもよいし、Ｖ字の開閉角度を調整可能で固定できる構成としてもよい。
更に、肘掛に平板を用い、平板の短辺における側面の一点で回転可能とし、特定の位置で固定できる構成としてもよい。
つまり、肘掛が座面部２の中央方向に向けて下がるような傾斜面を形成するものであればよい。
【００３４】
［第３の肘掛椅子：図１，２］
図１に示す椅子（第３の肘掛椅子）は、座面２の後側には、逆Ｕ字状の背柱３がほぼ垂直に取り付けてあり、その背柱３の前側には背もたれ５が配置されている。
尚、背柱３には、肘掛１２０等が対称形状で左右一対、付設してある。
【００３５】
座面２の後側には、逆Ｕ字状の背柱３がほぼ垂直に座面支持体１０２に装着具１０１を介してボルトナット１０１ａによって固定されている。また、背柱３の前側には背もたれ５が配置されている。
【００３６】
一対の背柱３に回動軸１０３ａを備えるＵ字状の上支持体１０３が回動可能に取り付けられており、その上支持体１０３における座面側には肘掛１２０が取り付けられている。尚、肘掛１２０は、肘を載置する場所が傾斜している。つまり、肘掛１２０の内側（座面の中央側）は幅（厚み）が小さく、外側は幅が大きくなっており、その幅の相違から傾斜する形状となっている。図１，２（Ａ），２（Ｂ）では、その傾斜面が下側に凹んだ曲面となっている。
【００３７】
また、支持体１０３の下には、上支持体１０３と平行に、下支持体１１０が背柱３に設けられた回動軸１１１で回動可能に取り付けてある。また、下支持体１１０の他端部には、垂直の連結杆１１２が回動軸１１２ａを介して回動可能に取り付けてあると共に、上支持体１０３の他端と、回動軸１０８ａを介して回動可能になっている。
即ち、上支持体１９３と下支持体１１０と背柱３及び連結杆１１２とで平行リンクを形成している。
【００３８】
上支持体１０３のほぼ中央と座面支持体１０２との間は、ネジ棒１０５が高さ調整体１０７を介して連結されている。
従って、高さ調整体１０７を回転させることによって、上支持体１０３は、座面支持体１０２からの距離を変更して、回動軸１０３ａで揺動する。上支持体１０３の揺動によって、平行リングを介して、肘掛１２０は昇降する。
【００３９】
［第３の肘掛椅子の使用方法：図２（Ａ），２（Ｂ）］
次に、第３の肘掛椅子の使用方法について、図２（Ａ）（Ｂ）を参照しながら説明する。
喘息患者は、先ず、座面２に座り、自然体で、左右の掌を互いに内に向けて（手を垂直状態にして）、斜め形状の肘掛１２０の平坦部に、前腕を載置する（図２（Ａ））。そして、高さ調節体１０７を回転させると、前記平行リンクを介して、肘掛１２０を上昇させる。
【００４０】
このようにして、鎖骨が自然体の位置より上がるように肘を上昇させると肩が上がり、鎖骨関節を働かせることによって、呼吸を増大させて楽な呼吸を確保し、その姿勢を維持するものである（図２（Ｂ））。
【００４１】
［第４の肘掛椅子：図３］
次に、別の形状の肘掛を備えた肘掛椅子（第４の肘掛椅子）の構成について図３を用いて説明する。図３は、第４の肘掛椅子の構成を示す斜視図である。
図３に示すように、第４の肘掛椅子は、肘掛１４０の形状が図１に示した肘掛椅子とは異なっており、肘掛が上下する昇降可能路も異なっている。
つまり、図３に示すように、別の肱掛椅子は、ラチェット機構１４１を備えており、肘掛１４０の先端部が昇降して肘掛１４０全体を傾斜した状態にすることができる上下傾斜角度調整機能を備えている。
【００４２】
また、この肘掛１４０は、図１に示した形状とは異なり、座面側１４０ａの厚みが座面外側１４０ｂより小さく形成されており、座面側１４０ａから座面外側１４０ｂに向けて高くなる内側傾斜角度を有する傾斜状に形成されている。
【００４３】
この所定角度の内側傾斜角度を備える肘掛１４０は、図１に示した形状で平坦部に肘を載置して自然体の肩の位置より身体側に向かって肩を上げた状態にするより、上腕が胴体に接触するような（脇を閉める）姿勢になり、より楽な姿勢を維持でき、楽な呼吸ができるものである。
尚、この肘掛１４０の内側傾斜角度は、使用者によって異なるが、１０〜５０度であり、３０度程度が好ましい。
【００４４】
［第５の肘掛椅子：図４］
図４は、肘掛を更に別の形状とした第５の肘掛椅子の斜視図である。
図４では、肘掛２４０は、肘を載置する肘載置部２４０Ａのみが傾斜状であればよいことを意味している。
【００４５】
つまり、図３の肘掛１４０のように前腕を載置する肘掛全体が傾斜状である必要はなく、肘掛２４０の形状は、肘を載置する肘載置部２４０Ａにおいて、座面側２４０ａの厚みが座面外側２４０ｂの厚みより小さく、座面側２４０ａから座面外側２４０ｂに向けて高くなる内側傾斜角度を有するように形成されている。
【００４６】
これにより、前腕が肘掛の外側に脱落するのを防止して、上腕が胴体に接触するような姿勢とし、肩を自然体の状態より高くして呼吸を楽にする。
【００４７】
［肘掛本体：図５］
また、肘掛本体のみの構成としてもよい。図５は、本発明の実施の形態に係る肘掛の構成を示す斜視図である。
図５に示すように、肘掛２５０は、左前腕を載置する脚付きの肘掛であり、この肘掛２５０においても、左手の肘を載置する肘載置部２５０Ａのみが、座面側２５０ａの厚みが座面外側２５０ｂの厚みより小さく、座面側２５０ａから座面外側２５０ｂに向けて高くなる内側傾斜角度を有するように形成されることによって、前腕が肘掛の外側に脱落するのを防止して、上腕が胴体に接触するような姿勢（脇を締める）になり、肩を自然体の状態より高くして呼吸を楽にする。
尚、右手用の肘掛は、図５に示す図と対称に形成する。
【００４８】
以上のように、本願の喘息患者用肘掛は、肘掛本体だけでも、或いは、椅子に付設して構成してもよく、少なくとも肘を載置する箇所が、内側傾斜角度を備えていることによって、肩を自然体の状態より高くすることができ、呼吸を楽にするものである。
【００４９】
すなわち、本願の喘息患者用肘掛は、少なくとも肘を載置する部分において、座面側から座面外側に向けて高くなる内側傾斜角度を有していることが重要であり、必ずしも、肘掛全体が同じ形状である必要はない。
【００５０】
また、肘掛を昇降させる昇降装置を付設する等は、使用者を考慮して選定すればよいし、肘掛の材質は、木材、合成樹脂等であり、木材そのもので形成する他、その木材をクッション材等で覆ったものであってもよい。
【００５１】
［具体的な肘掛椅子：図１０〜１３］
次に、具体的な肘掛椅子について図１０〜１３を参照しながら説明する。図１０は、具体的な肘掛椅子の正面図であり、図１１は、具体的な肘掛椅子の側面図であり、図１２は、肘掛の正面図であり、図１３は、具体的な肘掛椅子の斜視図である。
具体的な肘掛椅子は、図１０〜１３に示すように、座面２の下側にＵ字形状に座面支持体３４が形成され、その座面支持体３４に垂直方向に取り付けられたＵ字形状の背柱３が接続され、その背柱３に背もたれ部５が取り付けられている。
背柱３は、座面支持体３４に対して後方にやや傾いたものとなっている。
また、背柱３は、座面支持体３４と背柱支持部３６により連結され、背柱３が後方に倒れるのを防止している。
【００５２】
肘掛３３は、利用者側に向けて傾斜する傾斜面を備えており、水平方向に対して傾斜角は、２０度以上４５度以下、更に好ましくは、２５度以上３５度であり、図１２に示した例では、最良な角度として３０度となっている。
そして、傾斜面の傾斜方向の長さ（図１２の斜線部分の長さ）は、７ｃｍ以上、好ましくは１０ｃｍ以上ある方が、肘をスライドさせるのに適している。この傾斜方向の長さが短いと、スライドの幅が短くなって使い難くなる。
また、肘掛３３の底面には、水平移動部３２がハンドルネジ３２ａによって取り付けられている。
このハンドルネジ３２ａを緩めると、肘掛３３に取り付けられた水平移動部３２に水平方向（図１０の左右方向）に移動可能となり、ハンドルネジ３２ａを締めると特定の水平位置に肘掛３３を固定することができる。
【００５３】
［具体的な肘掛椅子の垂直移動部］
次に、垂直移動部について説明する。
垂直移動部は、上支持体側面部（第１の接続部）３１ａと、上支持体背面部３１ｄと、連結部（第２の接続部）３１ｂと、下支持体３１ｃと、ネジ棒３５とを備えている。
ネジ棒３５を短くするよう調整すると、上支持体側面部３１ａの連結部３１ｂ側の端部が上方向に移動し、下支持体３１ｃも平行して移動する。
また、ネジ棒３５を長くするよう調整すると、上支持体側面部３１ａの連結部３１ｂ側の端部が下方向に移動し、下支持体３１ｃも平行して移動する。
【００５４】
このように、連結部３１ｂが垂直方向に移動することにより、水平移動部３２と肘掛３３も垂直方向に移動し、肘掛３３を特定の垂直方向の位置に調整して設定できる。
尚、上支持体側面部３１ａと下支持体３１ｃが平行状態で連動するため、連結部３１ｂはそのままの状態で垂直方向に移動する。
【００５５】
［具体的な肘掛椅子の効果］
この具体的な肘掛椅子によれば、肘掛を水平方向と垂直方向に調整（粗調整）でき、更に、肘掛３３が傾斜面を備えているため、その傾斜面を重力に従ってスライドさせて微妙な肘の最適位置を迅速かつ容易に微調整して設定できる効果がある。
【００５６】
［肘掛器具：図１４］
次に、本発明の実施の形態に係る肘掛器具について図１４を参照しながら説明する。図１４は、ベッド用の肘掛器具の概略図である。
図１４に示す肘掛器具は、Ｖ字形状の肘掛３３と、その肘掛３３を水平方向に移動させる水平移動部３２と、肘掛３３を垂直方向に移動させる垂直移動部３１と、垂直移動部３１を固定する固定部とを有している。
【００５７】
固定部は、垂直移動部３１が接続する中央部３０ａと、中央部３０ａからベッド４０の下中央に延びる延長部３０ｂとから構成されている。つまり、固定部は、コの字形状となっている。延長部３０ｂによって肘掛器具がベッド４０から落ちることがない。
尚、図１４では、ベッド４０の一部が起き上がる構成となっており、起き上がった部分が背もたれ部４１となる。
【００５８】
［肘掛器具の効果］
図１４の肘掛器具によれば、肘掛を水平方向と垂直方向に調整（粗調整）でき、更に、肘掛３３が傾斜面を備えているため、その傾斜面を重力に従ってスライドさせて微妙な肘の最適位置を迅速かつ容易に微調整して設定できる効果がある。
【００５９】
［肘掛器具の応用例］
図１４の肘掛器具では、肘掛形状をＶ字形状として傾斜面を形成したが、肘掛を平板にし、その平板の短辺における側面の一点で、回転可能であって特定位置で固定できる構成とし、平板を回転させて傾斜面を形成して固定するようにしてもよい。
【００６０】
上記応用例によれば、平板を回転させ、ベッドの中央方向に向けて下がるよう傾斜する傾斜面を形成し、その傾斜角を２０度以上４５度以下、好ましくは２５度以上３５度以下に調整すれば、肘の位置の粗調整でき、更に肘の位置の微調整が迅速かつ容易に実現できる効果がある。
【産業上の利用可能性】
【００６１】
本発明は、肘の位置を粗調整でき、更に喘息発作時の苦しいときに微妙な肘の最適位置を迅速かつ容易に微調整できる肘掛椅子及び肘掛器具に好適である。
【符号の説明】
【００６２】
２...座面、  ３...背柱、  ５...背もたれ部、  ３０ａ...中央部、  ３０ｂ...延長部、  ３１...垂直移動部、  ３１ａ...第１の接続部、  ３１ｂ...第２の接続部、  ３１ｃ...下支持体、  ３１ｄ...上支持体背面部、  ３２...水平移動部、  ３３，１２０，１４０，２４０，２５０...肘掛、  ３４...座面支持体、  ３５...ネジ棒、  ３６...背柱支持部、  ４０...ベッド、  ４１...背もたれ部、  １４０ａ，２４０ａ，２５０ａ...座面側、  １４０ｂ，２４０ｂ，２５０ｂ...座面外側、  ２４０Ａ，２５０Ａ...肘載置部
【図１】
2015051262.tif 000003
【図２】
2015051262.tif 000004
【図３】
2015051262.tif 000005
【図４】
2015051262.tif 000006
【図５】
2015051262.tif 000007
【図６】
2015051262.tif 000008
【図７】
2015051262.tif 000009
【図８】
2015051262.tif 000010
【図９】
2015051262.tif 000011
【図１０】
2015051262.tif 000012
【図１１】
2015051262.tif 000013
【図１２】
2015051262.tif 000014
【図１４】
2015051262.tif 000015
【図１３】
2015051262.tif 000016